(57)【要約】      （修正有）【課題】さじ部上面に付着した小麦粉等の乾燥した粉体を、簡単に除去することができるエアブラシスコップを提供する。【解決手段】さじ部２とハンドル部３とからなるスコップ１において、ハンドル部の後端又は側面の少なくとも一方に吸気口３−６を有し、ハンドル部に小型のブロアとモータと乾電池とを内蔵しており、さじ部の上面には、噴出ノズル２−１を備え、小型ブロアの力によって、吸気口から外気を吸い込み、噴出ノズルから外気を噴出させる。【選択図】図１
0003197805.tif 000002
【実用新案登録請求の範囲】
【請求項１】
さじ部とハンドル部とからなるスコップにおいて、前記ハンドル部の後端又は側面の少なくとも一方に吸気口を有し、また、該ハンドル部に小型のブロアとモータと乾電池とを内蔵しており、前記さじ部の上面には、噴出ノズルを備え、前記小型ブロアによって、前記吸気口から外気を吸い込み、前記噴出ノズルから該外気を噴出させることを特徴とするエアブラシスコップ。
【請求項２】
前記噴出ノズルの形状が、略扇形状又は略イチョウ葉形状であって、開口高さが０．５ｍｍから２ｍｍであることを特徴とする請求項１に記載のエアブラシスコップ。
【請求項３】
前記噴出ノズルの噴出口を開閉する、該噴出口の幅方向に２枚の逆流防止扉を備え、該噴出口の両端部に、上部に摘み部を有する逆流防止扉の開閉用回動軸を設け、また、噴出口の中央部に該逆流防止扉の回動止め兼支持棒を設けたことを特徴とする請求項１又は２に記載のエアブラシスコップ。
【請求項４】
前記小型のブロアと前記モータとが、軸流形の一体型モータブロアであることを特徴とする請求項１又は２又は３に記載のエアブラシスコップ。
【請求項５】
前記ハンドル部の外周部シースルーになっており、前記ブロアが外部から透視できることを特徴とする請求項１から４のいずれかに記載のエアブラシスコップ。
【考案の詳細な説明】
【技術分野】
【０００１】
本考案は、スコップのさじ部の上面に付着した小麦粉や砂糖等を、空気を噴射することによって、吹き飛ばして付着物を取り除くことができるエアブラシスコップに関するものである。
【背景技術】
【０００２】
例えば、業務のために多量の小麦粉や砂糖を使用する場合において、計量器に小麦粉等を載せて計量する。そして、最終的には計量器で小麦粉等の重さを確認をすることにはなるが、計量する人が熟練されてくると、スコップで一定の重量の小麦粉を載せることによって、載せた回数で、所定の重量に近い小麦粉量を把握することができる。よって、何度も計量器の数値を確認することがなくなり、作業の効率を図ることができる。
【０００３】
しかしながら、スコップで小麦粉等を掬い続けると、スコップのさじ部に小麦粉が付着していって付着量も徐々に増えて、一回あたりに掬うことができる重量に誤差が生じる。そのままでは、小麦粉等の最終調整量が大きくなって、作業効率が下がってくる。また、頻繁にスコップを洗浄すれば、一回あたりに掬うことができる重量に誤差が生じにくくなるが、洗浄や乾燥に時間がかかってしまう。したがって、いずれにしても、作業効率が悪くなるという問題があった。
【考案の概要】
【考案が解決しようとする課題】
【０００４】
そこで、上記の問題を解決するために、スイッチ操作をするだけで、スコップのハンドル内に設けたブロアによって、空気をさじ部上面に噴出し、付着した小麦粉等の乾燥した粉体を、簡単に除去することができるエアブラシスコップを考案して提供するものである。
【課題を解決するための手段】
【０００５】
本考案の請求項１に係るエアブラシスコップは、さじ部とハンドル部とからなるスコップにおいて、前記ハンドル部の後端又は側面の少なくとも一方に吸気口を有し、また、該ハンドル部に小型のブロアとモータと乾電池とを内蔵しており、前記さじ部の上面には、噴出ノズルを備え、前記小型ブロアによって、前記吸気口から外気を吸い込み、前記噴出ノズルから該外気を噴出させることを特徴とする。
【０００６】
本考案に係るエアブラシスコップは、粉体を掬うためのさじ部と持ち手となるハンドル部との２つの部分から構成されており、ハンドル部には、ブロアとモータと電源が内蔵されている。モータの回転に連動してブロアが回転して気流が発生し、吸気口から外気を吸い込み、さじ部の上面に備えられた噴出ノズルから、該外気（空気）を噴出して、さじ部上面に付着した小麦粉等の粉体を吹き飛ばし又は移動させて除去する。
【０００７】
本考案の請求項２に係るエアブラシスコップは、請求項１に記載のエアブラシスコップにおいて、前記噴出ノズルの形状が、略扇形状又は略イチョウ葉形状であって、開口の高さが０．５ｍｍから２ｍｍであることを特徴とする。
【０００８】
この構成を採用することにより、請求項２に係るエアブラシスコップは、さじ部上面中に、噴出された空気を行き渡らせることができ、また、厚みを薄くすることによって、噴出する空気に圧力がかかり、付着した粉体を、吹き飛ばし又は移動させて除去することができる。
【０００９】
本考案の請求項３に係るエアブラシスコップは、請求項１又は２に記載のエアブラシスコップにおいて、前記噴出ノズルの噴出口を開閉する、該噴出口の幅方向に２枚の逆流防止扉を備え、該噴出口の両端部に、上部に摘み部を有する逆流防止扉の開閉用回動軸を設け、また、噴出口の中央部に該逆流防止扉の回動止め兼支持棒を設けたことを特徴とする。
【００１０】
この構成を採用することにより、請求項３に係るエアブラシスコップは、噴出ノズルの噴出口に逆流防止扉を設けられており、粉体を掬う際には、逆流防止扉を閉鎖して、粉体が噴出ノズル内に侵入することを防ぐことができ、また、さじ部に付着した粉体を除去する際には、逆流防止扉を開いて、外気を噴出口から噴出させるさせることができる。これによって、粉体が噴出ノズル内に侵入して、劣化したり、細菌に汚染されることを防ぎ、衛生的に使用することができる。また、回動止め兼支持棒と開閉用回動軸とによって、粉体を掬う際に、逆流防止扉にかかる力を支えることができる。
【００１１】
本考案の請求項４に係るエアブラシスコップは、請求項１又は２又は３に記載のエアブラシスコップにおいて、前記小型のブロアと前記モータとが、軸流形の一体型モータブロアであることを特徴とする。
【００１２】
この構成を採用することにより、請求項４に係るエアブラシスコップは、ハンドル部内の装置をコンパクトにできるので、ハンドル部を短くすることができる。よって、本考案にかかるエアブラシスコップを小型で軽量化することができる。
【００１３】
本考案の請求項５に係るエアブラシスコップは、請求項１から４のいずれかに記載のエアブラシスコップにおいて、前記ハンドル部の外周部がシースルーになっており、前記ブロアが外部から透視できることを特徴とする。
【００１４】
この構成を採用することにより、請求項５に係るエアブラシスコップは、ハンドル部内部のファンが回転するのが見えるので、子供のおもちゃとして利用することもできるようになる。
【考案の効果】
【００１５】
本考案に係る請求項１から５に記載のエアブラシスコップによれば、片手で持ったまま指先でスイッチを入れるだけで、さじ部に付着した小麦粉や砂糖等の粉体を、吹き飛ばし又は移動させて除去することができる。また、モータとファンとを一体にしたものを使用すれば、小型で軽量化することができ、材料費も安くなる。
【００１６】
本考案に係る請求項５に記載のエアブラシスコップによれば、ブロアの羽が回転するのを外部から透視できるので、子供のおもちゃとしても使用することができる。
【図面の簡単な説明】
【００１７】
【図１】図１は、本考案を実施するための形態に係るエアブラシスコップの模式的斜視図である。
【図２】図２は、図１の水平状態でハンドル部を透視した図ある。
【図３】図３は、図２におけるＡ−Ａ矢視断面図ある。
【図４】図４は、本考案を実施するための形態に係るエアブラシスコップであって、外気を噴出させている状態の模式的斜視図である。
【考案を実施するための形態】
【００１８】
本考案に係るエアブラシスコップ１は、さじ部２とハンドル部３とから構成され、さじ部２とハンドル部３とは、接合部４で螺合されている。
【００１９】
図１、図２、図３に示すように、ハンドル部３は、空気を吸込むと共に噴出させるためのブロア３−１と、ブロア３−１を回転させるためのモータ３−２と、モータ３−２を回転させるための電源となる乾電池３−３と、乾電池３−３とモータ３−２とを接続させる配線３−５と、を内蔵し、また、ハンドル部３の上側面に設けられ、配線３−５の電流を入り切りさせるためのスイッチを備え、また、後端又は側面の少なくとも一方に、外気（空気）をハンドル部３内のブロア３−１に取込むための吸気口３−６が備えられている。なお、図２、図３に示すように、ブロア３−１とモータ３−２とは、軸流型の一体型モータブロアの方が省スペースであって、軽量化も図れるので好適である。また、ハンドル部３の外径は、１．５〜３．０ｃｍである。
【００２０】
また、本考案に係るエアブラシスコップ１は、ハンドル部３の外周をシースルーにすることによって、内部のブロア３−１を透視させることができる。これによって、内部にあるブロア３−１の回転を見て楽しむことができると共に射出口２−１−１から吹き出す風で涼んだりすることもできるので、小さな子供のおもちゃとしても使用することができる。
【００２１】
さじ部２の上面には、噴出ノズル２−１が備えられている。噴出ノズル２−１の内部を、ハンドル部２に内蔵されたブロア３−１によって送風された空気が通り、噴出口２−１−１から、該空気が噴出される。噴出ノズル２−１は、その形状が略扇形状又は略イチョウ葉形状であって、また、射出口２−１−１の高さが０．５ｍｍから２ｍｍであるので、ブロア３−１によって送風された空気は、エアブラシスコップ１の上面上を満遍なく行き渡らせることができると共に、送り出した空気を絞ることができるので、より強い圧力の空気を噴出することができる。これにより、さじ部２の上面に付着した小麦粉や砂糖等の乾燥した粉体を吹き飛ばしたり、移動させたりして、除去することができる。
【００２２】
また、本考案に係るエアブラシスコップ１は、噴出ノズル２−１の噴出口２−１−１に逆流防止扉２−１−２を設けており、粉体を掬う際には、逆流防止扉２−１−２を閉鎖して、粉体が噴出ノズル２−１内に侵入することを防ぐことができる。また、さじ部２に付着した粉体を除去する際には、逆流防止扉２−１−２を開いて、外気を噴出口２−１−１から噴出させるさせることができる。これによって、本考案に係るエアブラシスコップ１は、粉体が噴出ノズル２−１内に侵入して、粉体が劣化したり、細菌に汚染されることを防ぎ、衛生的に使用できる。なお、逆流防止扉２−１−２は、摘み部２−１−４を回動させることによって、摘み部２−１−４と一体となった回動軸２−１−４−１が回動し、その回動軸２−１−４−１に連動して回動する。
【００２３】
次に、本考案に係るエアブラシスコップ１の使用方法の一例を説明する。例えば、洋菓子店等の小麦粉を大量に使用する場合において、大量の小麦粉を計量器で計量する際に、スコップ１を用いて、乾燥した小麦粉等を掬い続けると、さじ部２の上面に、小麦粉等が付着してくる。
【００２４】
まず、２つの逆流防止扉２−１−２の端部が、噴出口２−１−１の中央部に設けられた回動止め兼支持棒２−１−３に接触するまで摘み部２−１−４を回して噴出口２−１−１を閉鎖する。これによって、本考案に係るエアブラシスコップ１は、噴出ノズル２−１内に粉体が侵入して、粉体が劣化したり、細菌に汚染されることを防ぎ、衛生的に使用することができる。また、粉体を掬う際に、粉体によって逆流防止扉２−１−２にかかる力を、回動止め兼支持棒２−１−３と回動軸２−１−４−１とによって、支えることができる。
【００２５】
そして、作業を続けていくなかで、本考案に係るエアブラシスコップ１に小麦等が付着したことを視認すれば、作業者は、摘み部２−１−４を回して、逆流防止扉２−１−２を開き、そして、エアブラシスコップ１を持っている手の指先でスイッチ３−４を押す。すると乾電池３−５からの電流が流れモータ３−２が回転し、一体となったブロア３−１も回転して気流が生じる。その気流は外気が吸気口３−６から吸い込まれ、ハンドル部２の内部を通って噴出ノズル２−１の噴出口２−１−１から外気がさじ部２の上面に満遍なく噴出される。この噴出された外気（空気）によって、さじ部２上面に付着した小麦粉等を飛ばし又は移動させて除去する。このことによって、作業員は常にスコップ１回あたりの掬う量が誤差をなくして把握できるので、熟練工は、回数によって掬う粉体の重量を把握できるので、計量器で最終確認だけすればよい。したがって、本考案に係るエアブラシスコップ１を用いれば、作業効率を高めることができる。なお、本考案に係るエアブラシスコップ１は、小麦粉のほかに、砂糖等の乾燥した粉体を掬うのに用いることができる。
【００２６】
次に、本考案に係るエアブラシスコップ１の使用方法の別の一例を説明する。ハンドル部３の外側をシースルーにすることによって、内部のブロア３−１を透視させることができる。例えば、ブロア３−１の羽根に模様や色彩を付することによって、ブロア３−１の羽根が回転した際に、美感を醸し出す。また、逆流防止扉２−１−２を開いた状態で噴出ノズル２−１−１から噴出される風は、涼しさを与えることができる。よって、子供は、内部にあるブロア３−１の回転を見て楽しむことができると共に噴出口２−１−１から吹き出す風で涼んだりすることができるので、小さな子供のおもちゃとしても遊ぶことができる。本考案に係るエアブラシスコップ１のブロア３−１は、ハンドル部３に内蔵されているので、子供の指が巻き込まれて怪我をするおそれがないので、安心して遊べる。
【産業上の利用可能性】
【００２７】
乾燥した粉体を使用する分野及び子供のおもちゃの分野で広く利用できる。
【符号の説明】
【００２８】
１：エアブラシスコップ
２:さじ部
２−１：噴出ノズル      
２−１−１：噴出口          ２−１−２：逆流防止扉
２−１−３：回動止め兼支持棒      
２−１−４：摘み部          ２−１−４−１：回動軸
３：ハンドル部  
３−１：ブロア              ３−２：モータ          ３−３：乾電池
３−４：スイッチ            ３−５：配線
３−６：吸気口              ３−６−１：フィルタ
４：接合部
【図１】
0003197805.tif 000003
【図２】
0003197805.tif 000004
【図３】
0003197805.tif 000005
【図４】
0003197805.tif 000006